(57)【要約】【課題】  発信元に対する通話料の課金を発生させることなく、電話をかけなおす。【解決手段】  ＩＰ電話機であって、パケットを受信可能なパケット受信部２２１と、受信した第１発呼パケットから発信元の番号を抽出可能な発信元番号抽出部２２２と、抽出された発信元番号を表示可能なディスプレイ部２１１と、折り返し用ボタン２１２が押し下げられた場合に、着信を強制切断するキャンセルパケットと発信元番号を接続先とする第２発呼パケットを生成するパケット生成部２２８と、キャンセルパケットを送信後、第２発呼パケットを送信するパケット送信部２２９とを備える。【選択図】      図２
2005210498.tif 000002
【特許請求の範囲】
【請求項１】
パケットを受信可能なパケット受信部と、
受信した第１発呼パケットから発信元の番号を抽出可能な発信元番号抽出部と、
抽出された発信元番号を表示可能なディスプレイ部と、
折り返し用ボタンが押し下げられた場合に、着信を強制切断するキャンセルパケットと前記発信元番号を接続先とする第２発呼パケットを生成するパケット生成部と、
前記キャンセルパケットを送信後、前記第２発呼パケットを送信するパケット送信部と、を備えるＩＰ電話機。
【請求項２】
発信元番号を予め記憶する記憶部をさらに備え、
前記ディスプレイ部は、前記抽出された発信元番号が前記記憶部に記憶されている発信元番号と一致する場合に、前記抽出された発信元番号が前記記憶部に記憶されている発信元番号と一致することも表示する、請求項１記載のＩＰ電話機。
【請求項３】
前記記憶部は、発信元番号に関連付けて折り返し番号も予め記憶し、
前記抽出された発信元番号が前記記憶されている発信元番号と一致する場合に、前記パケット生成部は、前記発信元番号の代わりに前記折り返し番号を前記第２発呼パケットの接続先とする、請求項１又は２記載のＩＰ電話機。
【請求項４】
前記パケット受信部が、前記第１発呼パケットの発信元の受話器があがっていることを示すパケットを受信した場合に、前記パケット送信部が前記第２発呼パケットを再度送信する請求項１乃至３記載のＩＰ電話機。
【請求項５】
パケットを受信可能なパケット受信部と、
受信した第１発呼パケットから発信元の番号を抽出可能な発信元番号抽出部と、
抽出された発信元番号を通知する信号を出力可能な信号出力部と、
折り返し信号を入力可能な信号入力部と、
折り返し信号が入力された場合に、着信を強制切断するキャンセルパケットと前記発信元番号を接続先とする第２発呼パケットを生成するパケット生成部と、
前記キャンセルパケットを送信後、前記第２発呼パケットを送信するパケット送信部と、を備えるＩＰ電話アダプタ。
【請求項６】
発信元番号を予め記憶する記憶部と、
前記抽出された発信元番号と前記記憶部に記憶されている発信元番号とを比較し、これら２つの番号が一致する場合にその旨を通知する信号を出力可能な登録番号通知部と、をさらに備え、
前記信号出力部は、前記登録番号通知部が前記２つの番号が一致する旨を通知する信号を出力する場合に、前記抽出された発信元番号が前記記憶部に記憶されている発信元番号と一致することを示す信号も出力する、請求項５記載のＩＰ電話アダプタ。
【請求項７】
前記記憶部は、発信元番号に関連付けて折り返し番号も予め記憶し、
前記抽出された発信元番号が前記記憶されている発信元番号と一致する場合に、前記パケット生成部は、前記発信元番号の代わりに前記折り返し番号を前記第２発呼パケットの接続先とする、請求項５又は６記載のＩＰ電話アダプタ。
【請求項８】
前記パケット受信部が、前記第１発呼パケットの発信元の受話器があがっていることを示すパケットを受信した場合に、前記パケット送信部が前記第２発呼パケットを再度送信する請求項５乃至７記載のＩＰ電話アダプタ。
【請求項９】
ＩＰ電話アダプタを、
パケットを受信可能なパケット受信部、
受信した第１発呼パケットから発信元の番号を抽出可能な発信元番号抽出部、
抽出された発信元番号を通知する信号を出力可能な信号出力部、
折り返し信号を入力可能な信号入力部、
折り返し信号が入力された場合に、着信を強制切断するキャンセルパケットと前記発信元番号を接続先とする第２発呼パケットを生成するパケット生成部、
前記キャンセルパケットを送信後、前記第２発呼パケットを送信するパケット送信部、として機能させるための電話折り返しプログラム。
【請求項１０】
前記ＩＰ電話アダプタを、
発信元番号を予め記憶する記憶部、
前記抽出された発信元番号と前記記憶部に記憶されている発信元番号とを比較し、これら２つの番号が一致する場合にその旨を通知する信号を出力可能な登録番号通知部、として機能させ、
前記信号出力部に、前記登録番号通知部が前記２つの番号が一致する旨を通知する信号を出力する場合に、前記抽出された発信元番号が前記記憶部に記憶されている発信元番号と一致することを示す信号も出力させる、請求項９記載の電話折り返しプログラム。
【請求項１１】
前記記憶部に、発信元番号に関連付けて折り返し番号も予め記憶させ、
前記抽出された発信元番号が前記記憶されている発信元番号と一致する場合に、前記パケット生成部に、前記発信元番号の代わりに前記折り返し番号を前記第２発呼パケットの接続先とさせる、請求項９又は１０記載の電話折り返しプログラム。
【請求項１２】
前記パケット受信部が、前記第１発呼パケットの発信元の受話器があがっていることを示すパケットを受信した場合に、前記パケット送信部に前記第２発呼パケットを再度送信させる請求項９乃至１１記載の電話折り返しプログラム。
【発明の詳細な説明】
【技術分野】
【０００１】
本発明は、第１の利用者から第２の利用者へ電話をかけ、第２の利用者から第１の利用者へ折り返し電話をかける場合に、第１の利用者に対して通話料が課金されずに、通話を確立することが可能なＩＰ電話機、ＩＰ電話アダプタ及び電話折り返しプログラムに関する。
【背景技術】
【０００２】
第１の電話機から第２の電話機を発呼して、通話が確立した場合、第１の電話機の利用者と第２の電話機の利用者との間で合意が形成されて、直ちに回線を切断して、第２の電話機の利用者から第１の電話機の利用者へ電話をかけ直すコールバックと呼ばれる方法が行われることがある（例えば、非特許文献１参照）。
【特許文献１】特開２００３−２２９９５９号公報
【発明の開示】
【発明が解決しようとする課題】
【０００３】
現在、ＩＰ電話と、一般電話、携帯電話、ＰＨＳなどの非ＩＰ電話とが混在している。そして、多くの場合に非ＩＰ電話は通話回数や通話時間に応じて通話料が増加するという料金体系を採用し、一方、ＩＰ電話は通話回数や通話時間に関係なく固定の通話料を支払うという料金体系を採用している。
【０００４】
このため、非ＩＰ電話機からＩＰ電話機を発呼した場合に、ＩＰ電話機から非ＩＰ電話機へコールバックすることがある。
【０００５】
しかし、非ＩＰ電話機からＩＰ電話機を発呼した場合、ＩＰ電話機の受話器がオフフックされて通話が確立することによって、非ＩＰ電話機に対して通話料が課金されてしまう。
【０００６】
従って、本発明の課題は、このような課金を発生させることなく、ＩＰ電話から非ＩＰ電話へのコールバックを可能にすることにある。
【課題を解決するための手段】
【０００７】
本発明の第１の特徴は、ＩＰ電話機であって、パケットを受信可能なパケット受信部と、受信した第１発呼パケットから発信元の番号を抽出可能な発信元番号抽出部と、抽出された発信元番号を表示可能なディスプレイ部と、折り返し用ボタンが押し下げられた場合に、着信を強制切断するキャンセルパケットと前記発信元番号を接続先とする第２発呼パケットを生成するパケット生成部と、キャンセルパケットを送信後、第２発呼パケットを送信するパケット送信部とを備えることにある。
【０００８】
発呼パケットは、接続を要求するパケットであって、例えばＳＩＰ(session initiation protocol)におけるINVITEメッセージを含む。また、キャンセルパケットは、着信を強制的に切断するパケットであって、例えばＨ．３２３における「着信拒否」を返信する。
【０００９】
本発明の第２の特徴は、発信元番号を予め記憶する記憶部をさらに備え、ディスプレイ部は、抽出された発信元番号が記憶部に記憶されている発信元番号と一致する場合に、抽出された発信元番号が記憶部に記憶されている発信元番号と一致することも表示する、ことにある。
【００１０】
「抽出された発信元番号が記憶部に記憶されている発信元番号と一致することも表示する」方法には特に制限はない。例えば、特定部位を点滅させる、通常状態とは異なる色で発信元番号を表示する、一致する旨のメッセージや発信元番号に関連付けて予め記憶されている氏名などを発信元番号と共に表示するなどしても良い。
【００１１】
本発明の第３の特徴は、記憶部は、発信元番号に関連付けて折り返し番号も予め記憶し、抽出された発信元番号が記憶されている発信元番号と一致する場合に、パケット生成部は、発信元番号の代わりに折り返し番号を第２発呼パケットの接続先とする、ことにある。
【００１２】
例えば、発信元番号として０５０−９９９９−８８８８というＩＰ電話番号を、折り返し番号として０３−７７７７−８８８８という一般電話番号を予め記憶部に記憶してあって、０５０−９９９９−８８８８というＩＰ電話番号から着信があった場合、パケット生成部は０３−７７７７−８８８８を接続先とする発呼パケットを生成する。
【００１３】
本発明の第４の特徴は、パケット受信部が、第１発呼パケットの発信元の受話器があがっていることを示すパケットを受信した場合に、パケット送信部が第２発呼パケットを再度送信することにある。
【００１４】
パケット送信部は、再送信回数が所定値に達するまで再送信を繰り返すことが好ましい。
【発明の効果】
【００１５】
本発明の第１の特徴によれば、ＩＰ電話機の受話器をオフフックしなくても、キャンセルパケットの送信によって、着信を強制的に切断することができ、さらに第２発呼パケットを送信することによって、第１発呼パケットの送信元に折り返し電話をかけることができる。ＩＰ電話機の受話器をオフフックすることなく、着信を切断することによって、第１発呼パケットの送信元からかけてきた通話は確立しなかったことになる。このため、第１発呼パケットの送信元に通話料が課金されることを回避できる。
【００１６】
本発明の第２の特徴によれば、受信した発呼パケットに含まれる発信元番号が予め記憶されている発信元番号と一致することもディスプレイ部に表示されるため、折り返しボタンを押す／押さないを迅速に判断することができる。
【００１７】
本発明の第３の特徴によれば、発信元番号とは異なる番号を予め記憶部に記憶させておき、記憶されている番号を接続先とする発呼パケットを生成し、送信することによって、受信した発呼パケットに含まれる発信元番号と異なる番号に対しても、発信元への課金を発生させることなく、折り返し電話をかけることができる。
【００１８】
本発明の第４の特徴によれば、第１発呼パケットの送信元が、キャンセルパケットを受け取ってすぐにオンフックしない場合であっても、第２発呼パケットが自動的に再度送信されるので、第１発呼パケットの送信元が所定回数又は時間内にオンフックすれば、第２発呼パケットの送信側がオンフックし、次にオフフックし、そしてリダイヤルするという一連の行為をしなくて済む。
【発明を実施するための最良の形態】
【００１９】
以下、図面に基づいて本発明を実施するための最良の形態について説明する。ただし、後述する実施の形態は、本発明の技術的範囲を限定するものではない。
【００２０】
図１は、本発明の実施形態の全体構成を示す。図１に示すように、受信側の一般電話機１１２は電話線１１４を介してＶｏＩＰＧＷ（Voice Over Internet Protocol Gateway）又はＶｏＩＰＴＡ（Voice Over Internet Protocol Terminal Adaptor）などのＩＰ電話アダプタ１１３と接続され、さらにネットワークケーブル１０５を介してＩＰ電話網１０１へ接続されている。受信側のＩＰ電話機１１１はＶｏＩＰＧＷ１１３等を介することなく、ネットワークケーブル１０４を介してＩＰ電話網１０１へ接続されている。受信側の一般電話機１１２及びＩＰ電話機１１１はいずれもナンバーディスプレイ機能を有する。
【００２１】
第１の送信側（又は発信元）となる一般電話機１２２はＶｏＩＰＧＷ（又はＶｏＩＰＴＡ）１２３を介してＩＰ電話網１０１へ接続されている。第１の送信側となるＩＰ電話機１２１はＶｏＩＰＧＷ１２３等を介することなく、ＩＰ電話網１０１へ接続されている。
【００２２】
第２の送信側となるＩＰ電話機１３２はＶｏＩＰＧＷ（又はＶｏＩＰＴＡ）１３３を介して公衆電話網１０３へ接続されている。第２の送信側となる一般電話機１３１はＶｏＩＰＧＷ１３３等を介することなく、公衆電話網１０３へ接続されている。
【００２３】
第３の送信側となる携帯電話１４１は、携帯電話網（図示せず）、公衆電話網及びＩＰ電話網を経由して受信側と通話を確立する。
【００２４】
ＩＰ電話網１０１と公衆電話網１０３は、ゲートウェイ１０２によって相互に接続されている。
【００２５】
ソフトスイッチ１５１は、ＩＰ電話環境を管理するサーバであって、ＩＰ電話間又はＩＰ電話−非ＩＰ電話間での接続を制御する。ソフトスイッチ１５１によって、通信事業者のIPネットワーク上でソフトウェアにより回線交換サービスを実現する。ソフトスイッチ１５１によって、通信事業者は、IPネットワークそのものを電話の中継交換機として使う。
【実施例１】
【００２６】
図２（ａ）はＩＰ電話機の外部構造を示し、図２（ｂ）はＩＰ電話機の内部構造を示し、図２（ｃ）は折り返し番号一覧記憶部の記憶内容を示す。
【００２７】
図２（ａ）に示すように、ＩＰ電話機１１１はナンバーディスプレイ部２１１と、折り返しボタン２１２と、受話器２１３とを備える。
【００２８】
図２（ｂ）に示すように、ＩＰ電話機１１１は、パケット受信部２２１と、発信元番号抽出部２２２と、ナンバーディスプレイ制御部２２３と、ナンバー記憶部２２４と、折り返し番号一覧記憶部２２５と、折り返し番号編集部２２６と、登録番号通知部２２７と、パケット生成部２２８と、パケット送信部２２９とを備える。これら各部は相互にデータを送受信可能なように接続されている。
【００２９】
パケット受信部２２１は、ＩＰ電話網からネットワークケーブルを介してパケットを受信する。
【００３０】
発信元番号抽出部２２２は、受信した発呼パケットから発信元番号を抽出する。
【００３１】
ナンバー記憶部２２４は、抽出された発信元番号を一時的に記憶する。
【００３２】
折り返し番号一覧記憶部２２５は、発信元番号を予め記憶する。また、発信元番号に関連付けて折り返し番号を予め記憶するとしても良い。さらに、折り返し番号だけでなく、発信元番号に関連付けて名前などを予め記憶するとしても良い。
【００３３】
図２（ｃ）に示すように、発信元が携帯電話機又は一般電話機の場合は、発信元番号と同じ番号（例えば、090-8888-9999、06-8888-9999)を、折り返し番号として記憶する。発信元がＩＰ電話機の場合は、発信元番号（例えば、050-9999-8888）とは異なる番号（例えば、03-7777-8888）を折り返し番号として記憶する。
【００３４】
登録番号通知部２２７は、受信した発呼パケットから抽出された発信元番号と、折り返し番号に予め記憶されている発信元番号とを比較し、両番号が一致する場合に、その旨をディスプレイ制御部に通知する。
【００３５】
ディスプレイ制御部２２３は、パケットから抽出され、ナンバー記憶部２２４に記憶されている発信元番号をディスプレイ部２１１に表示させる。また、パケットから抽出され、ナンバー記憶部２２４に記憶されている発信元番号と、折り返し番号一覧記憶部２２５に予め記憶されている発信元番号とが一致する旨を、登録番号通知部２２７から通知された場合は、ディスプレイ部２１１の特定部分を点灯させたり、点滅させたり、ディスプレイ部２１１に特定のメッセージを表示したり、発信元番号に関連付けて記憶されている名前を表示したりするなどして、抽出された発信元番号が予め記憶されている発信元番号に一致することを容易に視認可能にすることが好ましい。
【００３６】
折り返し番号編集部２２６は、折り返し番号一覧の内容を編集するために使用される。つまり、折り返し番号一覧に新たな発信元番号や折り返し番号を追加したり、折り返し番号一覧に既に記憶されている発信元番号や折り返し番号を変更したり、削除したりするために使用される。
【００３７】
パケット生成部２２８は、折り返しボタン２１２が押し下げられた場合に、ＩＰ電話機１１１への着信を強制的に切断するキャンセルパケットと、受信したパケットから抽出され、ナンバー記憶部２２４に記憶されている発信元番号を接続先とする発呼パケットとを生成する。ナンバー記憶部２２４に記憶されている発信元番号が、折り返し番号一覧記憶部２２５に予め記憶されている発信元番号と一致し、かつその発信元番号に対して折り返し番号が関連付けて記憶されている場合、パケット生成部２２８は、その関連付けて記憶されている折り返し番号を接続先とする発呼パケットを生成する。
【００３８】
パケット送信部２２９は、折り返しボタン２１２が押し下げられた場合に、キャンセルパケットを、次いで発呼パケットをＩＰ電話網へ送信する。
【００３９】
折り返しボタン２１２が押し下げられてから、キャンセルパケットが生成され、送信され、着信が強制的に切断されるまでの間、受話器２１３はオフフックされない。つまり、オンフック状態のままである。
【００４０】
図３は、受信側のＩＰ電話機における着信から通話開始又は発呼あきらめまでの処理の流れを示す。まず、パケット受信部２２１は、発呼パケットを受信し、発信元番号抽出部２２２は、受信した発呼パケットから発信元番号を抽出する。
【００４１】
Ｓ３０１：登録番号通知部２２７は、抽出された発信元番号が、折り返し番号一覧記憶部２２５に登録されている番号か判断する。登録された番号であるなら、ステップＳ３０２へ進む。登録された番号でないなら、ステップＳ３０３へ進む。
【００４２】
Ｓ３０２：ディスプレイ部２１１に発信元番号が登録された番号であることが表示され、受信側ユーザは折り返しする／しないを判断する。
【００４３】
登録された番号であることを知らせる方法は、特に制限されない。例えば、
・登録された番号に対応する名前をディスプレイ部２１１に表示する、
・「登録された番号からのお電話です」などのような、登録された番号であることを通知するメッセージをディスプレイ部２１１に表示する、
・ディスプレイ部２１１の一部若しくは全部を点滅する、又は
・ディスプレイ部２１１の一部若しくは全部の色を目立つ色に変化するなどしても良い。
【００４４】
また、登録された番号であることを知らせる方法は、視覚的なものに限定されない。例えば、
・登録された番号であることを通知する音楽を音声出力部（図示せず）から出力する、
・「登録された番号からのお電話です」などのような、登録された番号であることを通知するメッセージ音を音声出力部から出力する、又は
・「○○さまからお電話です」などのような、登録された番号に対応する名前を音声出力部から出力するなどしても良い。
【００４５】
Ｓ３０３：発信元番号が、折り返し番号一覧記憶部２２５に登録されていない場合は、発信元番号がそのままディスプレイ部２１１に表示される。受信側ユーザは、ディスプレイ部２１１に表示された電話番号に基づいて、折り返しする／しないを判断する。
【００４６】
Ｓ３０４：受信側ユーザが「折り返す」と判断し、折り返しボタン２１２が押し下げられたら、着信が強制切断される。具体的には、折り返しボタン２１２が押し下げられると、パケット生成部２２８が着信をキャンセルするパケットを生成し、パケット送信部２２９が生成されたパケットを送信する。
【００４７】
折り返しボタン２１２は、折り返し「専用」ボタンでなくても良い。例えば、「０」、「１」、「２」・・・などの数字ボタンや「＃」、「＊」などの数字以外のボタンやその他の特殊ボタンを、折り返しボタンとして予め設定しておき、その設定されたボタンを押すとしても良い。
【００４８】
Ｓ３０５：受信側ユーザが「折り返さない」と判断し、受話器２１３がオフフックされたら、通話開始となる。
【００４９】
Ｓ３０６：発信元番号に発呼する。具体的には、パケット生成部２２８が発信元番号を接続先とする発呼パケットを生成し、パケット送信部２２９が生成されたパケットを送信する。
【００５０】
なお、図２（ｃ）の折り返し番号一覧の１行目に示すように、発信元番号とは異なる番号が折り返し番号として記憶されている場合は、折り返し番号を接続先とする発呼パケットが生成され、送信される。
【００５１】
Ｓ３０７：発呼した結果、相手側（つまり、当初の発信元）がオフフックしたら、通話開始が可能になる。追って詳述するように、相手側がオフフックする前提として、相手側がオンフック状態である必要がある。つまり、当初の受信側から当初の発信元を呼び出すまでの間に、当初の発信元において一旦、オンフックする必要がある。
【００５２】
Ｓ３０８：折り返しのために発呼したが、話中（つまり、当初の発信元がオフフック状態のまま）の場合は、回線断とする。
【００５３】
Ｓ３０９：予め指定した回数だけ、再発呼する。再発呼回数が指定回数未満であるなら、ステップＳ３０６に戻る。再発呼を指定回数実施したら、発呼をあきらめる。指定する回数は、当初の発信元ユーザが、オンフックするまでに必要と思われる任意の回数を設定することができる。
【００５４】
（折り返しがうまくいった場合）
一般電話機、携帯電話機、ＰＨＳなどの非ＩＰ電話機からＩＰ電話機へ電話をかけ、ＩＰ電話機から折り返し、非ＩＰ電話機とＩＰ電話機との間で通話が開始される場合について説明する。
【００５５】
なお、当初の発信元（送信側）もＩＰ電話機である場合は、前述の如く、発信元番号と折り返し番号が相違し得る。しかし、発信元番号と折り返し番号が相違する点を除けば、当初の発信元が非ＩＰ電話機である場合と同様である。
【００５６】
図４に示すように、当初の発信元である一般電話機１３１のユーザが受話器を取り、ＩＰ電話機１１１の電話番号をダイヤルすると、ＩＰ電話機１１１が発呼される。
【００５７】
発信元である一般電話機１３１の電話番号が、ＩＰ電話機１１１のナンバーディスプレイ部２１１に表示される。一般電話機１３１の電話番号が折り返し番号一覧記憶部２２５に記憶されている場合は、その旨もナンバーディスプレイ部２１１に表示される。ＩＰ電話機１１１のユーザが折り返しをすると判断したら、折り返しボタン２１２が押し下げられる。
【００５８】
折り返しボタン２１２が押し下げられるとパケット生成部２２８が着信を切断するキャンセルパケットを生成し、パケット送信部２２９が生成されたキャンセルパケットを送信する。送信されたキャンセルパケットは、ゲートウェイにてキャンセル信号に変換されて一般電話機１３１へ到達する。
【００５９】
一般電話機１３１において発呼がキャンセルされ、回線が断される。一般電話機１３１のユーザは、ＩＰ電話機１１１から折り返しが行われると判断して、受話器を置く。
【００６０】
ＩＰ電話機１１１のパケット生成部２２８によって、一般電話機１３１を接続先とする発呼パケットが生成され、パケット送信部２２９によって送信される。送信された発呼パケットは、ゲートウェイにおいて発呼信号に変換されて一般電話機１３１へ到達する。
【００６１】
一般電話機１３１がリンギングする（ベルが鳴る）。一般電話機１３１のユーザが受話器を取ると（オフフックすると）、一般電話機１３１とＩＰ電話機１１１との間で通話開始が可能となる。
【００６２】
（折り返しが失敗した場合）
非ＩＰ電話機からＩＰ電話機へ電話をかけ、ＩＰ電話機から折り返しを試みたが、非ＩＰ電話機とＩＰ電話機との間で通話が開始できない場合について説明する。
【００６３】
なお、当初の発信元（送信側）もＩＰ電話機である場合は、前述の如く、発信元番号と折り返し番号が相違し得る。しかし、発信元番号と折り返し番号が相違する点を除けば、当初の発信元が非ＩＰ電話機である場合と同様である。
【００６４】
発呼信号がゲートウェイ兼ソフトスイッチに到達し、発呼パケットがＩＰ電話機１１１に到達し、さらにキャンセルパケットがゲートウェイ兼ソフトスイッチに到達し、キャンセル信号が一般電話機１３１に到達するまでは、図４と同様であるから、説明を省略する。
【００６５】
図５に示すように、キャンセル信号を受信後、一般電話機１３１において発呼がキャンセルされ、回線が断される。
【００６６】
発呼パケットがゲートウェイ兼ソフトスイッチに到達し、発呼信号が一般電話機１３１に到達するが、
・一般電話機１３１の受話器があげられたままである場合又は
・一般電話機１３１の受話器が一旦置かれたが、ＩＰ電話機１１１からの発呼が一般電話機１３１に到達する前に第三者からの発呼が一般電話機１３１に到達し、その第三者との間で通話が開始されてしまった場合、
ＩＰ電話機１１１のパケット受信部２２１は、通話中であることを示すパケットを受信する。
【００６７】
ＩＰ電話機１１１では所定時間待った後、パケット送信部２２９が発呼パケットを再度送信する。ゲートウェイ兼ソフトスイッチを経て発呼信号が一般電話機１３１に到達するが、まだ受話器があがったまま又は第三者と通話中であるなら、ＩＰ電話機１３１のパケット受信部２２１は通話中であることを示すパケットを再度受信する。
【００６８】
ＩＰ電話機１１１は発呼パケット送信回数をカウントするカウンタ（図示せず）と、予め指定されている発呼繰り返し回数を記憶する記憶部（図示せず）と、カウンタの値と指定されている発呼繰り返し回数とを比較する比較部（図示せず）とを備える。そして、送信回数が指定されている回数に達するまで、パケット送信部２２９は再発呼を繰り返す。指定回数発呼を繰り返しても相変わらず一般電話機１３１が通話中である場合は、パケット送信部２２９は発呼をあきらめる。
【実施例２】
【００６９】
実施例２では、受信側はＩＰ電話機ではなく、一般電話機１１２とＩＰ電話アダプタ１１３との組み合わせとする。ＩＰ電話アダプタ１１３とは、VoIP GW、VoIP TAなどである。
【００７０】
図６（ａ）に示すように、受信側の一般電話機１１２はディスプレイ部６１１と、折り返しボタン６１２を備える。実施例１と同様に、折り返し用ボタン６１２は折り返し「専用」ボタンでなくても良い。
【００７１】
図６（ｂ）に示すように、一般電話機１１２は、信号入力部６１３と、ナンバーディスプレイ制御部６１４と、信号出力部６１５とをさらに備える。
【００７２】
図６（ｃ）に示すように、ＩＰ電話アダプタ１１３は、パケット受信部６２１と、発信元番号抽出部６２２と、信号出力部６２３と、ナンバー記憶部６２４と、信号入力部６３０と、折り返し番号一覧記憶部６２５と、折り返し番号編集部６２６と、登録番号通知部６２７と、パケット生成部６２８と、パケット送信部６２９とを備える。
【００７３】
ＩＰ電話アダプタ１１３について説明する。
【００７４】
パケット受信部６２１は、パケット受信部２２１と同様、
発信元番号抽出部６２２は、発信元番号抽出部２２２と同様、
ナンバー記憶部６２４は、ナンバー記憶部２２４と同様、
折り返し番号一覧記憶部６２５は、折り返し番号一覧記憶部２２５と同様、
折り返し番号編集部６２６は、折り返し番号編集部２２６と同様、
パケット送信部６２９は、パケット送信部２２９と同様、であるから説明を省略する。
【００７５】
信号出力部６２３は、発信元番号抽出部６２２によって抽出された発信元番号を通知する信号を電話線１１４へ出力する。
【００７６】
登録番号通知部６２７は、抽出された発信元番号と、折り返し番号一覧記憶部６２５に予め記憶されている番号とを比較し、両番号が一致する場合には、その旨を通知する信号を信号出力部６２３へ送る。
【００７７】
信号出力部６２３は、両番号が一致する旨を通知する信号を受け取ったら、その信号も電話線１１４へ出力する。
【００７８】
信号入力部６３０は、折り返しボタン６１２が押し下げられたことを示す信号を電話線１１４を介して入力される。
【００７９】
パケット生成部６２８は、折り返しボタン６１２が押し下げられたことを示す信号が信号入力部６３０に入力されると、着信を切断するキャンセルパケットと発信元番号を接続先とする発呼パケットを生成する。
【００８０】
一般電話機１１２について説明する。
【００８１】
信号入力部６１３には、電話線１１４を介して発信元番号を通知する信号や、発信元番号抽出部６２２によって抽出された発信元番号と、折り返し番号一覧記憶部６２５に予め記憶されている発信元番号とが一致することを通知する信号が入力される。
【００８２】
ナンバーディスプレイ制御部６１４は、信号入力部６１３に入力された信号に基づいて、ナンバーディスプレイ部６１１を制御する。
【００８３】
ナンバーディスプレイ部６１１は、発信元番号や、発信元番号が予め記憶されている番号であることや、発信元番号に関連付けられている名前やメッセージなどを表示する。
【００８４】
折り返しボタン６１２が押し下げられると、信号出力部６１５は折り返しボタン６１２が押し下げられたことを通知する信号を電話線１１４に出力する。
【００８５】
ＩＰ電話アダプタ１１３が発呼パケットを受け取ってから、通話を開始するか又は発呼をあきらめるまでの処理の流れは、図３に基づいて説明した実施例１とほぼ同様であるが、個々の処理がＩＰ電話アダプタ１１３と一般電話機１１２とに分かれて実行される。
【００８６】
例えば、ステップＳ３０１はＩＰ電話アダプタ１１３において実行されるが、ステップＳ３０２〜３０５は一般電話機１１２において実行され、ステップＳ３０６〜３０９はＩＰ電話アダプタ１１３において実行される。
【００８７】
ＩＰ電話アダプタ１１３は、発信元番号抽出部、折り返し番号一覧記憶部、登録番号通知部などを専用回路として備えていなくても良い。ＩＰ電話アダプタ１１３のファームウェアを書き換えることによって既存のハードウェアを用いて発信元番号抽出部などが行う処理を実行するとしても良いことは言うまでもない。
【００８８】
上記の如く、実施例１又は２によれば、当初の発信元に対する通話料課金を発生させることなく電話を折り返することができる。また、予め登録されている発信元から電話がかかってきた場合、そのことを受信側ユーザが容易に認識することができる。また、発信元番号とは異なる番号へ折り返し電話をかけることも容易にできる。さらに、当初の発信元で受話器があがったままであるときに、かけ直す側は、オンフックし、オフフックし、リダイヤルするという一連の行為を繰り返すことなく、通話開始が可能になるのを待つことができる。
【図面の簡単な説明】
【００８９】
【図１】実施の形態の全体構成を示すブロック図である。
【図２】図２（ａ）は実施例１のＩＰ電話機の外部構造を示し、図２（ｂ）は実施例１のＩＰ電話機の内部構造を示し、図２（ｃ）は実施例１の折り返し番号一覧記憶部の記憶内容を示す図である。
【図３】図３は、実施例１において、受信側のＩＰ電話機における着信から通話開始又は発呼あきらめまでの処理の流れを示すフローチャートである。
【図４】実施例１において、一般電話機からかかってきて、折り返しがうまくいった場合のシーケンス図である。
【図５】実施例１において、一般電話機からかかってきて、折り返しがうまくいかなかった場合のシーケンス図である。
【図６】図６（ａ）は実施例２の一般電話機の外部構造を示し、図６（ｂ）は実施例２のＩＰ電話機の内部構造を示し、図６（ｃ）は実施例２のＩＰ電話アダプタの内部構造を示す図である。
【符号の説明】
【００９０】
１０１…ＩＰ電話網、１０２…ゲートウェイ、１０３…公衆電話網、
１０４，１０５…ネットワークケーブル、１１１…受信側ＩＰ電話機、
２１１…ナンバーディスプレイ部、２１２…折り返しボタン、２１３…受話器、
２２１…パケット受信部、２２２…発信元番号抽出部、
２２３…ナンバーディスプレイ制御部、２２４…ナンバー記憶部、
２２５…折り返し番号一覧記憶部、２２６…折り返し番号編集部、
２２７…登録番号通知部、２２８…パケット生成部、２２９…パケット送信部
【図１】
2005210498.tif 000003
【図２】
2005210498.tif 000004
【図３】
2005210498.tif 000005
【図４】
2005210498.tif 000006
【図５】
2005210498.tif 000007
【図６】
2005210498.tif 000008